(57)【特許請求の範囲】
【請求項１】
シートを搬送するシート搬送路を備えたシート搬送装置において、
装置本体に軸を支点として水平方向に開閉自在に設けられ、前記シート搬送路を開放する複数の扉と、
前記複数の扉をそれぞれロックする複数のロック手段と、
前記複数のロック手段によるロックを同時に解除する解除手段と、
前記解除手段を手動操作により作動させる操作部と、
前記複数の扉のうち下部の扉が閉じられるとき、前記下部の扉の直上の扉を連動して閉じる連動手段と、
を備え、
前記解除手段により前記複数のロック手段を解除した際、前記複数の扉が同時に開放可能であり、前記連動手段により前記直上の扉が閉じられる前に、前記下部の扉が閉じられるのを規制することを特徴とするシート搬送装置。
【請求項２】
前記連動手段は、前記直上の扉に設けられたストッパと、前記下部の扉に設けられ、前記下部の扉が閉じられる際、前記ストッパと当接する当接部材とからなることを特徴とする請求項１に記載のシート搬送装置。
【請求項３】
画像形成部と、請求項１又は２に記載のシート搬送装置とを備えたことを特徴とする画像形成装置。
【発明の詳細な説明】
【技術分野】
【０００１】
本発明は、シート搬送装置及び画像形成装置に関し、特にシート搬送路においてシートのジャム等が起こった際に開かれる扉の構成に関する。
【背景技術】
【０００２】
従来の複写機、プリンタ等の画像形成装置においては、シートを搬送するシート搬送装置を備えている。そして、このシート搬送装置は、装置本体に開閉自在に扉を設け、メンテナンスの際や、装置内でシートの紙詰まり（ジャム）が起こった際には、扉を開けて装置内部を開放するようにしている。
【０００３】
ここで、このようなシート搬送装置としては、例えば画像形成部にシートを搬送するシート搬送路の一部を扉に設け、ジャム処理等を行う場合は、この扉を開くことにより、シート搬送路を広く開放し、ジャム処理等を行い易くしているものがある。
【０００４】
なお、このように扉を開閉する構成としては、扉をスライドさせて開閉するもの（例えば、特許文献１参照）、ヒンジで上下方向に開閉するもの（例えば、特許文献２参照）、ヒンジで左右方向に開閉するもの（例えば、特許文献３参照）がある。
【０００５】
まず、このような従来のシート搬送装置を備えた画像形成装置の構成を説明する。
【０００６】
図１１は、このような従来の画像形成装置の斜視図である。
【０００７】
図１１において、５０は画像形成装置、５１は画像形成装置本体（以下、装置本体という）である。そして、この装置本体５１の上部には原稿に光を照射し、反射光をデジタル信号に変換するイメージセンサ等を有する原稿読み取り部４１が設けられている。また、装置本体５１の内部に設けられている、シートに画像を形成する画像形成部に供給されるシートを収納する複数段の給紙カセット５２ａ〜５２ｄが設けられている。
【０００８】
次に、図１２を用いて装置本体５１内を概略説明する。シートを搬送するシート搬送装置５３、第１及び第２排出部５８Ａ，５９Ａが設けられている。なお、シート搬送装置５３により、給紙カセット５２ａ〜５２ｄに収納されたシートは画像が形成された後は、フラッパ６１により切り換えられて第１及び第２排出部５８Ａ，５９Ａに排出されるようになっている。
【０００９】
画像形成部では、二次転写部５６において、中間転写ベルト６３に転写されている画像を二次転写ローラ５６ａでシートに転写をする。さらに、トナー像が転写されたシートは、一対の定着ローラ対５７ａ，５７ｂからなる定着部５７において加熱及び加圧されることにより、トナー像が定着される。トナー像が定着されたシートＳはローラ５ａ，５ｂにより構成される第１搬送ローラ対５により搬送される。
【００１０】
図１１及び図１２において、１は第１扉であり、この第１扉１は装置本体５１の側面に回転中心軸４を支点として開閉自在に設けられている。また、この第１扉１には、レジストローラ対６２（駆動レジストローラ６２ａと従動レジストローラ６２ｂ）を構成する従動レジストローラ６２ｂ、２次転写ローラ５６ａ、第１搬送ローラ対５を構成するローラ５ｂが配されている。さらに、この第１扉１には、第１〜第４搬送パス１０１〜１０４を構成する一方のガイド部材１０１ａ〜１０３ａ、及び後述する図１６に示すガイド部材４ａが装着されている。これにより、第１扉１を開放すると、第１〜第４搬送パス１０１〜１０４が開放されて、ジャム処理を容易に行うことができる。
【００１１】
１１は、第１扉１の上方に配された第２扉であり、この第２扉１１は装置本体５１の側面に回転中心軸１４を支点として開閉自在に設けられている。また、この第２扉１１には、第２搬送ローラ対１５を構成するローラ１５ｂ、第１及び第２排出ローラ対５８，５９を構成するローラ５８ａ，５９ａが配されている。さらに、この第２扉１１には、第５搬送パス１０５を構成する後述する図１６に示す一方のガイド部材１０５ａが装着されている。これにより、第２扉１１を開放すると、第５搬送パス１０５が開放されて、ジャム処理を容易に行うことができる。
【００１２】
ところで、図１３は、第１扉１及び第２扉１１の内壁面側の構成を示す図であり、図１３において、１Ａは第１扉１のロック部、１１Ａは第２扉１１のロック部である。ここで、第１扉１のロック部１Ａ及び第２扉１１のロック部１１Ａは、それぞれ第１及び第２扉１，１１に設けられたフック１ａ，１１ａと、フック１ａ，１１ａに係脱自在に係合するラッチ２，１２とを備えている。
【００１３】
なお、このラッチ２，１２は、フック１ａ，１１ａに係脱自在に係合するラッチ部２ａ，１２ａ、レバー部２ｂ，１２ｂ及び回転軸２ｃ，１２ｃを有し、不図示の付勢手段により回転軸２ｃ，１２ｃを中心とし矢印Ａ方向に付勢されている。
【００１４】
そして、ラッチ２，１２のラッチ部２ａ，１２ａとフック１ａ，１１ａとを係合させることにより、第１及び第２扉１，１１をシート搬送路である第１〜第５搬送パス１０１〜１０５を形成する位置に固定することができる。なお、第１及び第２搬送ローラ対５，１５は、第１及び第２扉１，１１が搬送パス１０１〜１０５を形成する位置に固定された際、不図示の付勢手段により図１２の矢印Ｃ方向に付勢され、圧接するようになっている。
【００１５】
また、図１１に示すように第１及び第２扉１，１１の表側には、ロック部１Ａ、１１Ａのロックを解除する解除ボタン３，１３が設けられている。そして、この解除ボタン３，１３を押圧して押し込むことにより、ラッチ部２ａ，１２ａをフック１ａ，１１ａから解除することができる。なお、この解除ボタン３，１３は、不図示の付勢手段により外側に付勢されている。
【００１６】
次に、このような構成の従来のシート搬送装置５３におけるジャムしたシートＳの処理動作について説明する。
【００１７】
例えば、図１２に示すように第１及び第２搬送ローラ対５，１５に挟持された位置でシートＳがジャムした場合、まず第１扉１を開放するよう、図１４の（ａ）に示すように解除ボタン３を矢印Ｄ方向に押す。ここで、このように解除ボタン３を押すと、矢印Ａ方向に付勢されたラッチ２のレバー部２ｂを解除ボタン３の突起３ａが押圧する。これにより、図１４の（ｂ）に示すようにラッチ２は、回転軸２ｃを中心とし矢印Ｅ方向に回転し、このようにラッチ２が矢印Ｅ方向に回転すると、ラッチ部２ａと第１扉１のフック部１ａとの係合が解除される。
【００１８】
これにより、第１扉１は、第１〜第４搬送パス１０１〜１０４を形成する位置において第１ローラ対５を矢印Ｃ方向に付勢している不図示の付勢手段の反力により、図１５に示すように回転中心軸４を中心に、矢印Ｆ方向に回転する。この結果、第１〜第４搬送パス１０１〜１０４が開放され、第１搬送ローラ対５（５ａ，５ｂ）の圧接が解除される。
【００１９】
次に、第２扉１１を開放する。この場合も、解除ボタン１３を押すと、第１扉１と同様にラッチ部１２ａと第１扉１１のフック部１１ａとの係合が解除される。これにより、第２扉１１は、第５搬送パス１０５を形成する位置において第２搬送ローラ対１５を矢印Ｃ方向に付勢している不図示の付勢手段の反力により、図１６に示すように矢印Ｆ方向に回転し、第５搬送パス１０５を開放する。この結果、第２搬送ローラ対１５の圧接が解除される。
【００２０】
そして、このように第１及び第２扉１，１１を開放すると、第１及び第２搬送ローラ対５，１５の圧接が解除されるので、ジャムしているシートＳは容易に処理可能となる。
【００２１】
なお、このようにジャムしているシートＳを処理した後、図１７に示すように第１及び第２扉１，１１を矢印Ｇ方向に回転させて閉める。そして、このように第１及び第２扉１，１１を閉めると、不図示の付勢手段により矢印Ａ方向に付勢されていたラッチ２，１２をフック１ａ，１１ａが矢印Ｅ方向に回転させ、再びラッチ２，１２のラッチ部２ａ，１２ａと係合する。
【００２２】
そして、このようにラッチ２，１２のラッチ部２ａ，１２ａとフック１ａ，１１ａが係合することにより、第１及び第２扉１，１１は第１〜第５搬送パス１０１〜１０５を形成する位置に固定される。これにより、第１及び第２搬送ローラ対５，１５が不図示の付勢手段により、それぞれ図１２に示す矢印Ｃ方向に加圧され、次のシート搬送の準備が完了する。
【００２３】
【特許文献１】特開２００１−１４６３３９号公報
【特許文献２】特開２００５−８２３０７号公報
【特許文献３】特開平１１−２３１５９４号公報
【発明の開示】
【発明が解決しようとする課題】
【００２４】
ところで、このような従来のシート搬送装置及び画像形成装置においては、既述したようにジャム処理をする前に各扉をすべて開放するので、各扉１，１１の固定手段（ロック手段１Ａ，１１Ａ）を解除する解除手段（解除ボタン１３）が各扉毎に必要である。しかし、このように各扉１，１１に解除手段を設けた場合、各扉１，１１を開くたびに、それぞれ解除手段を操作しなければならず、ジャム処理操作が面倒であった。
【００２５】
そこで、ジャム処理操作を簡略するための対策として、ジャム処理で開く部分を搬送方向に長い扉とする。例えば、図１８に示すように２つの扉１，１１を１つの扉３１にするという方法が考えられる。
【００２６】
しかしながら、このように扉を一つにした場合、固定手段と解除手段はそれぞれ１つとなるが、一つの扉３１に搬送ローラ対５,１５を構成する一方のローラ５ａ，１５ａが配されることになる。このため、扉３１を閉める際、ローラ対を付勢する付勢手段による反力により、操作力が増加する。
【００２７】
つまり、図１７に示すように、第１扉１を閉める力をＦ１、第２扉１１を閉める力をＦ２とすると、図１９に示す搬送方向に長い扉３１を閉める力Ｆ３は、Ｆ３＝Ｆ１＋Ｆ２となり、操作力が増大する。
【００２８】
そこで、本発明は、このような現状に鑑みてなされたものであり、ジャム処理操作の手間を低減することのできるシート搬送装置及び画像形成装置を提供することを目的とするものである。
【課題を解決するための手段】
【００２９】
本発明は、シートを搬送するシート搬送路を備えたシート搬送装置において、装置本体に軸を支点として水平方向に開閉自在に設けられ、前記シート搬送路を開放する複数の扉と、前記複数の扉をそれぞれロックする複数のロック手段と、前記複数のロック手段によるロックを同時に解除する解除手段と、前記解除手段を手動操作により作動させる操作部と、前記複数の扉のうち下部の扉が閉じられるとき、前記下部の扉の直上の扉を連動して閉じる連動手段と、を備え、前記解除手段により前記複数のロック手段を解除した際、前記複数の扉が同時に開放可能であり、前記連動手段により前記直上の扉が閉じられる前に、前記下部の扉が閉じられるのを規制することを特徴とするものである。
【発明の効果】
【００３０】
本発明のように、操作部の手動操作によって解除手段により複数のロック手段のロックを同時に解除すると共に、解除手段により複数のロック手段を解除した際、複数の扉が同時に開かれることにより、ジャム処理操作の手間を低減することができる。
【発明を実施するための最良の形態】
【００３１】
以下、本発明を実施するための最良の形態について図面を用いて詳細に説明する。
【００３２】
図１は、本発明の実施の形態に係るシート搬送装置を備えた画像形成装置の斜視図である。なお、図１において、既述した図１１と同一符号は、同一又は相当部分を示している。
【００３３】
図１において、２０は画像形成装置、３０は画像形成装置本体であり、この画像形成装置本体３０の上部には原稿読み取り部４１が設けられている。また、画像形成装置本体３０の側壁面には第１扉１及び第２扉１１が開閉自在に設けられている。なお、本実施の形態において、この画像形成装置本体３０は、シート搬送装置本体を兼ねている。
【００３４】
図１０を用いて、画像形成装置について概略説明する。なお、従来の技術で説明した構成と同じ構成には同じ符号を付す。画像形成部５５は、イエロー、マゼンタ、シアン及びブラックの４色のトナー画像を形成する感光ドラム５５ａ〜５５ｄと、画像情報に基づいてレーザビームを照射して感光体ドラム上に静電潜像を形成するスキャナ部４２等を備えている。
【００３５】
なお、６３は、矢印方向に回転駆動される中間転写ベルトであり、この中間転写ベルト６３に転写バイアスを印加することにより、感光体ドラム上の各色トナー像が順次中間転写ベルト６３に多重転写され、中間転写ベルト上にフルカラー画像が形成される。また、５６は、順次中間転写ベルト６３に形成されたフルカラー画像をシートに転写する２次転写部、５７はシート上の画像をシートに定着させる定着部、５８及び５９は画像が定着されたシートを排出する第１及び第２排出ローラ対である。
【００３６】
次に、このように構成された画像形成装置５０の画像形成動作について説明する。
【００３７】
画像形成動作が開始されると、まず原稿読み取り部４１により原稿画像が読み取られ、この読み取った原稿画像情報に基づきスキャナ部４２はレーザ光を照射し、表面が所定の極性・電位に一様に帯電されている感光ドラム５５ａ〜５５ｄの表面を順次露光する。これにより、感光ドラム５５ａ〜５５ｄ上には、それぞれイエロー、マゼンタ、シアン及びブラックの潜像が形成される。
【００３８】
次に、感光ドラム５５ａ〜５５ｄ上の潜像をイエロー、マゼンタ、シアン及びブラックのトナーにより現像し、感光体ドラム上にイエロー、マゼンタ、シアン及びブラックのトナー像を順次形成する。そして、このように順次形成した各色トナー像を順次中間転写ベルト６３の外周に一次転写し、これにより中間転写ベルト６３上にフルカラートナー画像が形成される。
【００３９】
また、このトナー画像形成動作に並行して給紙カセット５２ａ〜５２ｄに収容されたシートは、シート搬送装置５３により、まず第１搬送パス１０１を経由してレジストローラ対６２に搬送される。そして、このレジストローラ対６２によって斜行が補正され、この後、レジストローラ対６２により、中間転写ベルト６３に形成されたフルカラートナー画像とシートの先端とが一致するタイミングで２次転写部５６に搬送される。そして、この２次転写部５６を通過する際、２次転写ローラ５６ａに印加されるバイアスにより、シートに中間転写ベルト上のトナー画像が２次転写される。
【００４０】
次に、このようにトナー像が転写されたシートは、第２搬送パス１０２を経由して定着部５７に搬送され、定着部５７において加熱及び加圧されることにより、トナー像が定着される。なお、このようにして画像が定着された後、シートＳは、定着部５７の下流に設けられた第１搬送ローラ対５により第３搬送パス１０３を経由し、図１２に示すフラッパ６１に搬送される。
【００４１】
そして、このフラッパ６１の位置が破線の位置であれば搬送パス１０４を通り第１排出ローラ対５８により第１排出部５８Ａに排出、積載される。また、フラッパ６１の位置が実線の位置であれば、第２搬送ローラ対１５及び第５搬送パス１０５を経由して第２排出ローラ対５９により第２排出部５９Ａに排出、積載される。
【００４２】
図２は、第１扉１及び第２扉１１の内壁面側の構成を示す図であり、図２において、１Ａは第１扉１のロック手段であるロック部、１１Ａは第２扉１１のロック手段であるロック部である。第１及び第２扉１，１１のロック部１Ａ，１１Ａは、それぞれ第１扉１，１１に設けられたフック１ａ，１１ａと、フック１ａ，１１ａに係合し、第１扉１，１１を搬送パス１０１〜１０５を形成する位置に固定するラッチ２，２２とを備えている。
【００４３】
ここで、この第２扉１１のロック部１１Ａのラッチ２２は、第２扉１１のフック１１ａに係脱可能に係合し、第２扉１１を第５搬送パス１０５を形成する位置に固定するものである。そして、このラッチ２２は、第２扉１１のフック１１ａに係脱可能に係合するラッチ部２２ａ、レバー部２２ｂ及び回転軸２２ｃを有している。そして、不図示の付勢手段により回転軸２２ｃを中心とし矢印Ａ方向に付勢されている。
【００４４】
２３は第１扉１に、水平方向に回転自在に設けられ、フック１１ａのラッチ部２２ａに対する係合を解除して第１扉１のロック部１Ａのロックを解除する解除手段である解除レバーである。
【００４５】
この解除レバー２３の下端部には、第１扉１に設けられた操作部である解除ボタン３が押圧された際、解除ボタン３の先端部３ｂと当接する当接部２３ａが設けられている。そして、解除ボタン３が押圧された際、当接部２３ａが解除ボタン３の先端部３ｂと当接すると、解除レバー２３が、矢印Ｋで示す方向に回転するようになっている。
【００４６】
また、この解除レバー２３の上端部には、解除レバー２３の矢印Ｋ方向の回転に伴い、図３に示すように第２扉１１のロック部１１Ａのレバー部２２ｂを押圧する押圧部２３ｂが設けられている。そして、この解除レバー２３の矢印Ｋ方向の回転に伴い押圧部２３ｂがレバー部２２ｂを押圧すると、ラッチ部２２ａがフック２１ａから解除され、第２扉１１のロック部１１Ａのロックが解除される。なお、この解除レバー２３は、第２扉１１が閉じられているとき、矢印Ａ方向に付勢されているラッチ２２により矢印Ｈ方向に付勢されている。
【００４７】
１１ｂは第２扉１１に設けられたストッパ、１ｂは第１扉１に設けられ、ストッパ１１ｂと当接する当接部である突き当て部であり、このように突き当て部１ｂを第１扉１に設けることにより、第２扉１１が第１扉１よりも大きく開かないようにしている。つまり、これらストッパ１１ｂ及び突き当て部１ｂにより、上方の扉（第２扉１１）の開き量が、直下の扉（第１扉１）の開き量よりも少なくなるように規制される。
【００４８】
次に、このように構成されたシート搬送装置におけるジャムしたシートＳを処理する動作について説明する。
【００４９】
例えば、既述した図１２に示す第１及び第２搬送ローラ対５，１５に挟持された位置でシートＳがジャムした場合、まず第１扉１を開放するよう、図４に示すように解除ボタン３を矢印Ｄ方向に押す。ここで、解除ボタン３を押すと、図５の（ａ）に示すように、解除ボタン３の突起３ａがラッチ２のレバー部２ｂを押し、ラッチ２を回転軸２ｃを中心とし矢印Ｅ方向に回転させる。そして、このようにラッチ２が矢印Ｅ方向に回転すると、ラッチ２ａと第１扉１のフック部１ａとの係合が解除され、第１扉１のロック部１Ａのロックが解除される。
【００５０】
これにより、第１扉１は、第１〜第４搬送パス１０１〜１０４を形成する位置において第１ローラ対５を矢印Ｃ方向に付勢している不図示の付勢手段の反力により、既述した図１５に示すように回転中心軸４を中心に、矢印Ｆ方向に回転する。この結果、第１〜第４搬送パス１０１〜１０４が開放され、第１搬送ローラ対５の圧接が解除される。
【００５１】
また、同時に解除ボタン３の先端部が解除レバー２３の当接部２３ａを押圧し、解除レバー２３を、図４に示す矢印Ｉ方向に回転させる。さらに、これに伴い、押圧部２３ｂも矢印Ｉ方向に回転し、図５の（ｂ）に示すようにラッチ２２のレバー部２２ｂを押圧し、ラッチ２２のラッチ部２２ａを回転軸２２ｃを中心とし矢印Ｅ方向に回転させる。
【００５２】
そして、このようにラッチ部２２ａが矢印Ｅ方向に回転すると、ラッチ部２２ａと第１扉１１のフック部１１ａとの係合が解除され、第２扉１１のロック部１１Ａのロックが解除される。これにより、第２扉１１は、搬送パスを形成する位置において第２搬送ローラ対１５を矢印Ｃ方向に付勢している不図示の付勢手段の反力により矢印Ｆ方向に回転し、この結果、第５搬送パス１０５が開放され、第２搬送ローラ対１５の圧接が解除される。
【００５３】
このように、解除ボタン３を押すと、解除レバー２３により、第１及び第２扉１，１１のロック部１Ａ、１１Ａのロックを同時に解除することができる。さらに、ロックを解除した際、第１及び第２搬送ローラ対５，１５を付勢している付勢手段により第１及び第２扉１，１１が、図６に示すように同時に開かれるようになる。そして、このように第１及び第２扉１，１１が開放されることにより、第１及び第２搬送ローラ対５，１５の圧接が解除されるので、ジャムしているシートＳは容易に処理可能となる。
【００５４】
ところで、このように第１及び第２扉１，１１が同時に開かれる時、第２扉１１のストッパ１１ｂが、第１扉１のストッパ突き当て部１ｂに当接するので、第１扉１の開口量と第２扉１１の開口量は、第１扉１の開口量≧第１扉１１の開口量となる。
【００５５】
一方、ジャムしたシートＳを処理した後、第１及び第２扉１，１１を閉めると、第１及び第２扉１，１１のフック１ａ，１１ａが不図示の付勢手段により矢印Ａ方向に付勢されていたラッチ２，２２を矢印Ｅ方向に回転させ、再びラッチ部２ａ，２２ａと係合する。
【００５６】
これにより、第１及び第２扉１，１１は第１〜第５搬送パス１０１〜１０５を形成する位置に固定され、第１及び第２搬送ローラ対５，１５が不図示の付勢手段により圧接し、次のシート搬送の準備が完了する。
【００５７】
ところで、第１及び第２扉１，１１は閉じられている時には図７の（ａ）に示すように前奥の高さ位置が平行に保たれているが、開かれたときには第１及び第２扉１，１１の回転中心軸４，１４が奥側に位置するため、図７の（ｂ）に示すように自重で手前側が下がっている。
【００５８】
この状態のとき、図８に示すように下の第１扉１を閉めた後に上の第２扉１１を閉めようとすると、第１扉１が平行な位置に戻っているので、第２扉１１の下がっている手前側が干渉してしまい、ガイド部材１０５ａを傷つけてしまう。そして、このようにガイド部材１０５ａが傷つけられると、第５搬送パス１０５を通過する際、シートが引掛かかり、ジャムが発生する恐れがある。
【００５９】
しかし、既述したように、第２扉１１には、第２扉１１の開口量を規制するストッパ部１ｂが設けられているので、第１扉１を先に閉めようとした場合、第１扉１のストッパ突き当て部１ｂが第２扉１１のストッパ１１ｂと当接する。
【００６０】
ここで、このようにストッパ突き当て部１ｂが第２扉１１のストッパ１１ｂと当接すると、第１扉１を閉じるときの負荷が増えることから、ユーザは第２扉１１を先に閉じ、この後、第１扉１を閉じるようにする。これにより、第２扉１１のガイド部材１０５ａが傷つけられることを防止することができる。
【００６１】
つまり、本実施の形態においては、ストッパ１１ｂ及び突き当て部１ｂにより、上部の扉（第２扉１１）が閉じられる前に、直下の扉（第１扉１）が閉じられるのを規制することができる。なお、このように第２扉１１を閉じた後、第１扉１を閉じるようにした場合、第２扉１１を閉める力はＦ２、第１扉１を閉める力はＦ１であり、操作力の増大はみられない。
【００６２】
一方、第１扉１をそのまま閉じる際は、ストッパ１１ｂとストッパ突き当て部１ｂとが連動手段を構成し、第１扉１と第２扉１１は手前側が同じように下がった状態のまま一緒に回転して閉じられ、同時に搬送パスを形成する位置に固定される。
【００６３】
このように、解除ボタン３の手動操作によって第１及び第２扉１，１１のロックを同時に解除すると共に、ロックを解除した際、付勢手段により第１及び第２扉１，１１が同時に開かれるようにすることにより、ジャム処理操作の手間を低減することができる。
【００６４】
なお、本実施の形態では解除ボタン３が第1扉１に配されているが、本発明は、これに限らず、解除ボタン３を扉以外の本体部分に配しても同様の効果を得ることができる。また、これまでの説明においては、扉は２つの場合について述べたが、３つ以上の場合でも本発明を用いることにより、同様の効果を得ることができる。
【図面の簡単な説明】
【００６５】
【図１】本発明の実施の形態に係るシート搬送装置を備えた画像形成装置の斜視図。
【図２】上記シート搬送装置の第１扉及び第２扉の内壁面側の構成を示す図。
【図３】上記第１扉及び第２扉のロックを解除する構成を説明する図。
【図４】上記第１扉及び第２扉のロックを解除する動作を説明する図。
【図５】上記第１扉及び第２扉のロックを解除する動作を説明する他の図。
【図６】上記第１扉及び第２扉を開いたときの状態を示す図。
【図７】（ａ）は上記第１扉及び第２扉を閉じたときの状態を示す図、（ｂ）は上記第１扉及び第２扉を開いたときの状態を示す図。
【図８】上記第１扉を先に閉じたときの第２扉の状態を示す図。
【図９】上記第１扉及び第２扉を閉じるときの状態を示す図。
【図１０】本発明の画像形成装置の概略構成を示す図。
【図１１】従来のシート搬送装置を備えた画像形成装置の斜視図。
【図１２】従来のシート搬送装置の構成を示す図。
【図１３】従来のシート搬送装置の第１扉及び第２扉の内壁面側の構成を示す図。
【図１４】従来の第１扉及び第２扉のロックを解除する動作を説明する図。
【図１５】従来の第１扉を開いたときの状態を示す図。
【図１６】従来の第１扉及び第２扉を開いたときの状態を示す図。
【図１７】従来の第１扉及び第２扉を閉じるときの状態を示す図。
【図１８】従来の他のシート搬送装置を備えた画像形成装置の斜視図。
【図１９】従来の他のシート搬送装置の第１扉及び第２扉を閉じるときの状態を示す図。
【符号の説明】
【００６６】
１            第１扉
１Ａ          第１扉のロック部
１ｂ          ストッパ突き当て部
３            解除ボタン
５            第１搬送ローラ対
１１          第２扉
１１Ａ        第２扉のロック部
１１ｂ        ストッパ部
１０１〜１０５  第１〜第５搬送パス
１５          第２搬送ローラ対
２０          画像形成装置
２３          解除レバー
３０          画像形成装置本体
５５          画像形成部
５３          シート搬送装置
Ｓ            シート
【図１】
0004508992.tif 000002
【図２】
0004508992.tif 000003
【図３】
0004508992.tif 000004
【図４】
0004508992.tif 000005
【図５】
0004508992.tif 000006
【図６】
0004508992.tif 000007
【図７】
0004508992.tif 000008
【図８】
0004508992.tif 000009
【図９】
0004508992.tif 000010
【図１０】
0004508992.tif 000011
【図１１】
0004508992.tif 000012
【図１２】
0004508992.tif 000013
【図１３】
0004508992.tif 000014
【図１４】
0004508992.tif 000015
【図１５】
0004508992.tif 000016
【図１６】
0004508992.tif 000017
【図１７】
0004508992.tif 000018
【図１８】
0004508992.tif 000019
【図１９】
0004508992.tif 000020